(57)【特許請求の範囲】
【請求項１】
人体の腹部前部にて左右方向に延びる被係止部と、前記被係止部の所定位置に係止する左右一対の係止部とを備え、前記各係止部の前記被係止部との係止位置を変更することにより前記人体に応じて前記腹部周方向長さを調節可能で、前記人体の股部を覆う使い捨ておむつにおいて、
前記被係止部の略中央に施され、第１知育情報を有する第１知育模様と、
前記被係止部の前記第１知育模様の左右外側に、互いに間隔をおいて施された左右一対の複数の係止目印模様と、
前記被係止部の前記各係止目印模様間に施され、第２知育情報を有し、前記第１知育模様と異なる第２知育模様と、を有し、
前記係止目印模様は、前記被係止部の中央側から順に付与された数に関する情報を有することを特徴とする使い捨ておむつ。
【請求項２】
人体の腹部前部にて左右方向に延び、おむつ本体に設けられた被係止部と、前記被係止部の所定位置に係止し、前記おむつ本体に設けられた左右一対の係止部とを備え、前記各係止部の前記被係止部との係止位置を変更することにより前記人体に応じて前記腹部周方向長さを調節可能で、前記人体の股部を覆う使い捨ておむつにおいて、
前記おむつ本体における前記被係止部の設置部位の略中央に施され、第１知育情報を有する第１知育模様と、
前記おむつ本体の前記第１知育模様の左右外側に、互いに間隔をおいて施された左右一対の複数の係止目印模様と、
前記おむつ本体の前記各係止目印模様間に施され、第２知育情報を有し、前記第１知育模様と異なる第２知育模様と、を有し、
前記係止目印模様は、前記被係止部の中央側から順に付与された数に関する情報を有し、
半透明または透明の被係止部材を、前記第１知育模様と、前記各係止目印模様と、前記各第２知育模様とを覆うようおむつ本体に設けることにより前記被係止部を構成したことを特徴とする使い捨ておむつ。
【請求項３】
前記各係止目印模様は数模様を有し、前記数模様は前記被係止部の上下方向の所定位置に施されるものであって、
前記各数模様を、隣接する前記各数模様同士で上下位置が異なるよう施した
ことを特徴とする請求項１又は２に記載の使い捨ておむつ。
【請求項４】
前記各係止目印模様は、前記被係止部の上端から下端にかけて連続的な棒線状或いは破線状の模様を有することを特徴とする請求項１乃至３の何れか１項記載の使い捨ておむつ。
【請求項５】
前記各第２知育情報は、前記第１知育情報と関連する情報であることを特徴とする請求項１乃至４の何れか１項記載の使い捨ておむつ。
【請求項６】
前記各第２知育情報のうち、左右で対応する位置に施された各第２知育情報は、互いに関連する情報を有することを特徴とする請求項１乃至５の何れか１項記載の使い捨ておむつ。
【請求項７】
前記各第２知育情報のうち、左右で対応する位置に施された各第２知育情報は、同一カテゴリーに属する情報を有することを特徴とする請求項６記載の使い捨ておむつ。
【請求項８】
前記第１知育模様、前記各係止目印模様及び前記各第２知育模様の周囲には背景模様が施され、前記背景模様は、前記第１知育情報と関連する第３知育情報を有することを特徴とする請求項１乃至７の何れか１項記載の使い捨ておむつ。
【請求項９】
前記第１知育模様を、前記各第２知育模様に比して大きく形成したことを特徴とする請求項１乃至８の何れか１項記載の使い捨ておむつ。
【請求項１０】
前記第１知育模様及び前記第２知育模様を、前記被係止部の上端及び下端から離隔して施した
ことを特徴とする請求項１乃至９の何れか１項記載の使い捨ておむつ。
【請求項１１】
請求項１乃至１０の何れか１項記載の複数の使い捨ておむつが一の包装袋に収容され、
前記包装袋に収容される前記各使い捨ておむつのうち少なくとも１つの、前記第１知育模様と前記第２知育模様の少なくとも一方が、他の前記使い捨ておむつと異なるようになっている
ことを特徴とするおむつ包装品。
【請求項１２】
前記包装袋に収容される前記全使い捨ておむつの、前記第１知育模様と前記第２知育模様の少なくとも一方が、互いに異なるようになっている
ことを特徴とする請求項１１記載のおむつ包装品。
【発明の詳細な説明】
【０００１】
【発明の属する技術分野】
本発明は、前記各係止部の前記被係止部との係止位置を変更することにより、前記人体に応じて前記腹部周方向長さを調節可能な使い捨ておむつに関するものである。
【０００２】
【従来の技術】
従来、この種の使い捨ておむつとして、表面（肌との当接面）側をなす不織布等からなる透液性トップシートと、裏面側をなすポリエチレンシート等からなる不透液性バックシートと、トップシートの中央側表面に設置された綿状パルプ等からなる吸収体とを有するものが知られている。この使い捨ておむつは、幼児等の人体に装着した状態で、腹部前部の外面にて左右方向に延びるフロントシートが設けられている。また、背中側の両側部には、バックシートの表面にその側縁から左右外側へ延びるテープ部材が設けられ、各テープ部材の表面にはフロントシートと係脱自在のフックシートが設けられている。即ち、この使い捨ておむつは、フックシートとフロントシートとの係止位置を変更することにより、人体に応じて前記腹部周方向長さを調節可能となっている。
【０００３】
この使い捨ておむつのフロントシートには種々の模様が施されるとともに、左右一対の複数の係止目印が施されている。そして、母親等は各係止目印を参考にして、各フックシートをフロントシートに係止させ、幼児等の人体に使い捨ておむつを装着する。
【０００４】
【発明が解決しようとする課題】
しかしながら、前記使い捨ておむつでは、フロントシートに施される模様は単に視覚的な配置により施されたものであり、その他の意味はなかった。
【０００５】
本発明は、前記事情に鑑みてなされたものであり、その目的とするところは、付加価値のより高い使い捨ておむつを提供することにある。
【０００６】
【課題を解決するための手段】
前記目的を達成するため、請求項１記載の発明では、人体の腹部前部にて左右方向に延びる被係止部と、前記被係止部の所定位置に係止する左右一対の係止部とを備え、前記各係止部の前記被係止部との係止位置を変更することにより前記人体に応じて前記腹部周方向長さを調節可能で、前記人体の股部を覆う使い捨ておむつにおいて、前記被係止部表面の略中央に施され、第１知育情報を有する第１知育模様と、前記被係止部表面の前記第１知育模様の左右外側に、互いに間隔をおいて施された左右一対の複数の係止目印模様と、前記各係止目印模様間に施され、第２知育情報を有し、前記第１知育模様と異なる第２知育模様と、を有し、前記係止目印模様は、前記被係止部の中央側から順に付与された数に関する情報を有することを特徴とする。
【０００７】
また、請求項２記載の発明では、人体の腹部前部にて左右方向に延び、おむつ本体に設けられた被係止部と、前記被係止部の所定位置に係止し、前記おむつ本体に設けられた左右一対の係止部とを備え、前記各係止部の前記被係止部との係止位置を変更することにより前記人体に応じて前記腹部周方向長さを調節可能で、前記人体の股部を覆う使い捨ておむつにおいて、前記おむつ本体における前記被係止部の設置部位の略中央に施され、第１知育情報を有する第１知育模様と、前記おむつ本体の前記第１知育模様の左右外側に、互いに間隔をおいて施された左右一対の複数の係止目印模様と、前記おむつ本体の前記各係止目印模様間に施され、第２知育情報を有し、前記第１知育模様と異なる第２知育模様と、を有し、前記係止目印模様は、前記被係止部の中央側から順に付与された数に関する情報を有し、半透明または透明の被係止部材を、前記第１知育模様と、前記各係止目印模様と、前記各第２知育模様とを覆うようおむつ本体に設けることにより前記被係止部を構成したことを特徴とする。
【０００８】
請求項１または２記載の発明によれば、各係止部を被係止部に係止する、あるいは、被係止部との係止を解除する際に、母親等は第２知育模様を指呼するなどして、幼児等に第２知育模様を確実に認識させることができる。また、第１知育模様と第２知育模様とを異なる模様としたので、幼児等は複数種の模様を認識することができるので、使い捨ておむつを付加価値の高いものとすることができる。
また、各係止部を係止する際に、母親等は、各係止部を被係止部のどの部分に係止させたらよいか、速やかに認識することができる。また、幼児等は、各係止目印模様を認識して、数字及び数の順番等を認識することができる。
【０００９】
請求項３記載の発明では、請求項１または２記載の使い捨ておむつにおいて、前記各係止目印模様は数模様を有し、前記数模様は前記被係止部の上下方向の所定位置に施されるものであって、前記各数模様を、隣接する前記各数模様同士で上下位置が異なるよう施したことを特徴とする。
【００１０】
請求項４記載の発明では、請求項１乃至３の何れか１項記載の使い捨ておむつにおいて、前記各係止目印模様は、前記被係止部の上端から下端にかけて連続的な棒線状或いは破線状の模様を有することを特徴とする。
【００１１】
請求項３または４記載の発明によれば、各係止部を係止する際に、母親等は、各係止部を被係止部のどの部分に係止させたらよいか、速やかに認識することができる。また、幼児等は、各係止目印模様を認識して、数字及び数の順番等を認識することができる。
【００１２】
請求項５記載の発明では、請求項１乃至４の何れか１項記載の使い捨ておむつにおいて、前記各第２知育情報は、前記第１知育情報と関連する情報であることを特徴とする。
【００１３】
請求項５記載の発明によれば、請求項１乃至４の何れか１項記載の作用に加え、第１知育模様と第２知育模様との関連性から幼児等の思考力を刺激することができる。
【００１４】
請求項６記載の発明では、請求項１乃至５の何れか１項記載の使い捨ておむつにおいて、前記各第２知育情報のうち、左右で対応する位置に施された各第２知育情報は、互いに関連する情報を有することを特徴とする。
【００１５】
また、請求項７記載の発明では、請求項６記載の使い捨ておむつにおいて、前記各第２知育情報のうち、左右で対応する位置に施された各第２知育情報は、同一カテゴリーに属する情報を有することを特徴とする。
【００１６】
請求項６または７記載の発明によれば、請求項１乃至５の何れか１項の作用に加え、左右で対応する各第２知育模様同士の関連性から幼児等の思考力を刺激することができる。
【００１７】
請求項８記載の発明では、請求項１乃至７の何れか１項記載の使い捨ておむつにおいて、前記第１知育模様、前記各係止目印模様及び前記各第２知育模様の周囲には背景模様が施され、前記背景模様は、前記第１知育情報と関連する第３知育情報を有することを特徴とする。
【００１８】
請求項８記載の発明によれば、請求項１乃至７の何れか１項の作用に加え、第１知育模様と第３知育模様との関連性から幼児等の思考力を刺激することができる。
【００１９】
請求項９記載の発明では、請求項１乃至８の何れか１項記載の使い捨ておむつにおいて、前記第１知育模様を、前記各第２知育模様に比して大きく形成したことを特徴とする。
【００２０】
請求項９記載の発明によれば、請求項１乃至８の何れか１項の作用に加え、幼児等は第１知育模様に基づいて各第２知育模様が存在することを認識することができる。
【００２１】
請求項１０記載の発明では、請求項１乃至９の何れか１項記載の使い捨ておむつにおいて、前記第１知育模様及び前記第２知育模様を、前記被係止部の上端及び下端から離隔して施したことを特徴とする。
【００２２】
請求項１０記載の発明によれば、請求項１乃至９の何れか１項の作用に加え、被係止部の上側及び下側には余白が形成されるので、被係止部の製造に際して上下方向の誤差が許容される。例えば、各知育模様等が上下に並設された裁断シート等を裁断して上下に分割して複数の被係止部を製造する際に、十分な余白がないため各被係止部の各模様の上端側または下端側を裁断してしまい、各模様の上端側または下端側が途切れた状態の被係止部を製造してしまうことはない。
【００２３】
請求項１１記載の発明では、おむつ包装品において、請求項１乃至１０の何れか１項記載の複数の使い捨ておむつが一の包装袋に収容され、前記包装袋に収容される前記各使い捨ておむつのうち少なくとも１つの、前記第１知育模様と前記第２知育模様の少なくとも一方が、他の前記使い捨ておむつと異なるようになっていることを特徴とする。
【００２４】
請求項１１記載の発明によれば、包装袋に収容される各使い捨ておむつのうち少なくとも１つが、他の使い捨ておむつと異なる種類となるようにしたので、包装袋に収容された全ての使い捨ておむつを使用すると、幼児等は異なる各知育模様を認識する。
【００２５】
請求項１２記載の発明では、請求項１１記載のおむつ包装品において、前記包装袋に収容される前記全使い捨ておむつの、前記第１知育模様と前記第２知育模様の少なくとも一方が、互いに異なるようになっていることを特徴とする。
【００２６】
請求項１２記載の発明によれば、請求項１１の作用に加え、包装袋に収容された各使い捨ておむつを使用するたびに、幼児等は新たな各知育模様を認識する。
【００２７】
【発明の実施の形態】
図１乃至図４は本発明の第１の実施形態を示すもので、図１は使い捨ておもつの概略斜視図、図２は使い捨ておむつの一部分解斜視図、図３は使い捨ておむつの展開した状態を示す平面図である。
【００２８】
図１乃至図３に示すように、この使い捨ておむつ１は、表面（肌との当接面）側をなす不織布等からなる透液性トップシート２と、裏面側をなすポリエチレンシート等からなる不透液性バックシート３と、トップシート２の中央側表面に設置された綿状パルプ等からなる吸収体４とを有している。また、使い捨ておむつ１は、吸収体４に隣接する脚回り部分と、展開した状態の前後端側とに、それぞれ弾性伸縮部材５が設けられている。また、図１に示すように、この使い捨ておむつ１を人体に装着した状態で、腹部前部の外面に、左右方向に延びるフロントシート６が設けられている。
【００２９】
他方、背中側の両側部には、バックシート３の表面にその側縁から左右外側へ延びるテープ部材７が設けられ、各テープ部材７は粘着剤層等によりバックシート３の表面に固定されている。また、各テープ部材７の表面にフックシート８が粘着剤層等により固定され、係止部としての各フックシート８が被係止部としてのフロントシート６と係脱自在となっている。
【００３０】
図４に示すように、フロントシート６の表面には、各フックシート８との係止位置を示す左右一対の係止目印模様９が施されている。ここで、係止目印模様９は左右に複数並設されており、本実施形態においては、各係止目印模様９は、数字部９ａ、上下に延びる破線部９ｂ等から成っている。
【００３１】
各数字部９ａは、フロントシート６の中央側から順に付与された数が模様として施されている。本実施形態においては、各数字部９ａは左右に３つずつ施され、「１」，「２」，「３」のアラビア数字の模様部９ａ１と、アラビア数字を囲む円状の外縁部９ａ２とを有している。また、各数字部９ａは、フロントシート６の下側に配置されている。
【００３２】
破線部９ｂは円状の模様を上下に並設することにより形成され、「１」に対応する破線部９ｂ及び「２」に対応する破線部９ｂの間隔と、「２」に対応する破線部９ｂ及び「３」に対応する破線部９ｂの間隔とは、略同一となっている。
【００３３】
また、フロントシート６における最も中央側の各係止目印模様９の間、即ち、「１」に対応する各模様部９ａ１の間には、第１知育情報を有する第１知育模様１０が施されている。これにより、第１知育模様１０は、フロントシート６の略中央に施されることとなる。また、中央を除く各係止目印模様９の間には第２知育情報を有する第２知育模様１１が施されている。
【００３４】
第１知育模様１０は各第２知育模様に比して大きく施され、本実施形態においては、第１知育情報は「おもちゃ」及び「どうぶつ」であり、第１知育模様１０は「積み木を手にしたうさぎのキャラクター」である。
【００３５】
各第２知育模様１１は、「１」と「２」に対応する各数字部９ａの間のものと、「２」と「３」に対応する各数字部９ａの間のものとで模様を異にしている。「１」と「２」の間に位置する左右一対の各第２知育模様１１は、それぞれ第２知育情報として「おもちゃ」という同一カテゴリーに属する情報を有しており、一方の第２知育模様１１は「積み木、ぬいぐるみ」であり、他方の第２知育模様１１は「輪投げ」である。また、「２」と「３」の間に位置する左右一対の各第２知育模様１１は、それぞれ第２知育情報として「どうぶつ」という同一カテゴリーに属する情報を有しており、一方の第２知育模様１１は「いぬのキャラクター」であり、他方の第２知育模様１１は「うさぎのキャラクター」である。さらに、本実施形態においては、「３」に対応する各数字部９ａの外側にも第２知育模様１１が施され、それぞれ第２知育情報として「おもちゃ」という同一カテゴリーに属する情報を有しており、両方とも第２知育模様１１は「ぬいぐるみ」である。ここで、同一カテゴリーとは同じ種類のものが所属する部類をいい、本実施形態の各第２知育情報においては、同一カテゴリーは「どうぶつ」、「おもちゃ」である。そして、カテゴリー「どうぶつ」に属する情報は「いぬ」、「うさぎ」等であり、カテゴリー「おもちゃ」に属する情報は、「積み木」、「ぬいぐるみ」、「輪投げ」等である。
【００３６】
ここで、第１知育模様１０及び各第２知育模様１１は、それぞれフロントシート６の上端及び下端から離隔して施されている。即ち、第１知育模様１０及び各第２知育模様１１の上側及び下側には余白１２が形成されている。また、第１知育模様１０の上下方向長さをＢ、幅方向長さをＣとしたときの第１知育模様１０の大きさＡは、Ａ＝Ｂ×Ｃの式で表される。また、各第２知育模様１１の上下方向長さをＥ、幅方向長さをＦとしたときの各第２知育模様１１の大きさＤは、Ｄ＝Ｅ×Ｆの式で表される。本実施形態においては、第１知育模様１０と第２知育模様１１の関係は、
Ａ／４≦Ｄ≦７Ａ／１０
Ｂ≦Ｃ≦３Ｂ／２
Ｅ≦Ｆ≦３Ｂ／２
の各式を満たすようになっている。
【００３７】
以上のように構成された複数の使い捨ておむつ１は、折り畳んだ状態で、一括して一の包装袋（図示せず）に収容される。ここで、包装袋に収容される各使い捨ておむつ１は、第１知育情報１０と各第２知育情報の少なくとも一方が、互いに異なるようになっている。
【００３８】
ここで、使い捨ておむつ１を、幼児等の人体へ着脱する作業動作について説明する。
【００３９】
未装着時は、図３の右側に示すように、各フックシート８をトップシート２の繊維に絡ませ、各テープ部材７が折り畳まれた状態となっている。
【００４０】
そして、使い捨ておむつ１の装着時には、各テープ部材７の先端を把持して各フックシート８をトップシート２から剥離し、各フックシート８をフロントシート６に重ねる。これにより、各フックシート８がフロントシート６の各ループ６ａと絡み、使い捨ておむつ１の前後の結合がなされる。
【００４１】
ここで、フロントシート６は左右に延びて形成されるとともに、各フックシート８はフロントシート６の任意の位置に係止可能であり、人体に応じて使い捨ておむつの腹部周方向長さを調節可能となっている。即ち、母親等は、前述の各係止目印模様９を参考に、幼児等の体型に応じて、各フックシート８を係止させる。即ち、幼児等が比較的小さな体型である場合は、各数字部９ａが「１」である各係止目印模様９付近に各フックシート８を係止させ、腹部周方向長さを小さく調整する。このとき、「２」と「３」の間及び「３」の外側に位置する各第２知育模様１１は、各フックシート８により隠蔽される。また、標準的な体型、比較的大きな体型である場合も同様にして、各数字部９ａが「２」、「３」である各係止目印模様９付近に各フックシート８を係止させる。ここで、各フックシート８をフロントシート６の如何なる位置に係止させても、フロントシート６の略中央に位置する第１知育模様１０は隠蔽されることはなく、第１知育模様１０は常に露出した状態となる。
【００４２】
装着された使い捨ておむつ１を人体から外す場合は、各テープ部材７の先端を把持して各フックシート８をフロントシート６から剥離する。これにより、使い捨ておむつ１の前後の結合が解除される。
【００４３】
このように、本実施形態の使い捨ておむつ１によれば、各係止目印模様９の間にそれぞれ第２知育模様１１を施したので、各フックシート８をフロントシート６に係止する、あるいは、フロントシート８から剥離する際に、母親等は第２知育模様１１を指呼するなどして、幼児等に第２知育模様１１を確実に認識させることができるので、使い捨ておむつ１を付加価値の高いものとすることができる。また、幼児等の知育に関して極めて有利であるし、母親等は幼児等とコミュニケーションをとることもできる。
【００４４】
また、本実施形態の使い捨ておむつ１によれば、第１知育模様１０と第２知育模様１１とを異なる模様としたので、幼児等は複数種の模様を認識することができる。従って、幼児等の知育を効果的に行うことができる。
【００４５】
また、本実施形態の使い捨ておむつ１によれば、第１知育模様１０及び各第２知育模様１１が互いに関連する情報を有し、左右で対応する各第２知育模様１１同士が互いに同一カテゴリーに属する情報を有するようにしたので、各模様１０，１１の関連性から幼児等の思考力を刺激することができる。従って、幼児等の思考力を効果的に増進させることができる。
【００４６】
また、本実施形態の使い捨ておむつ１によれば、第１知育模様１０を、各第２知育模様に比して大きく施したので、幼児等は第１知育模様１０に基づいて各第２知育模様が存在することを認識することができる。従って、これによっても、幼児等の知育を効果的に行うことができる。
【００４７】
また、本実施形態の使い捨ておむつ１によれば、前記各係止目印模様９がフロントシート６の中央側から順に付与された数に関する情報を有するようにしたので、各フックシート８を係止する際に、母親等は、各フックシート８をフロントシート６のどの部分に係止させたらよいか、速やかに認識することができる。また、幼児等は、各係止目印模様９を認識して、数字及び数の順番等を認識することができる。従って、母親等が腹部周方向長さを調節するに際して有利であるし、幼児等の知育においても有利である。
【００４８】
また、本実施形態の使い捨ておむつ１によれば、フロントシート６の略中央に第１知育模様１０を施したので、母親等は第１知育模様１０を目印として、第１知育模様１０が人体の略中央となるよう幼児等におむつを装着することができる。従って、使い捨ておむつを装着した際に、おむつが人体の左右にずれたりすることはない。
【００４９】
また、本実施形態の使い捨ておむつ１によれば、各知育模様１０，１１の上側及び下側に余白１２を設けたので、例えば図５乃至８に示すような、各知育模様が上下に並設された裁断シート１００，１０１，１０２，１０３を裁断して上下に分割して複数のフロントシート６を製造する際に、十分な余白がないため各フロントシート６の各知育模様１０，１１の上端側または下端側を裁断してしまい、各知育模様１０，１１の上端側または下端側が途切れた状態のフロントシート６を製造してしまうことはない。
【００５０】
また、本実施形態のおむつ包装品によれば、包装袋に収容される各使い捨ておむつ１が異なる種類となるようにしたので、包装袋に収容された各使い捨ておむつを使用するたびに、幼児等は新たな各知育模様１０，１１を認識する。従って、幼児等により多くの知育模様１０，１１を認識させることができ、知育において極めて有利であるとともに、母親、幼児等は、おむつの交換を楽しく行うことができる。
【００５１】
尚、前記実施形態においては、第１知育模様１０が「積み木を手にしたうさぎのキャラクター」、各第２知育模様１１が「積み木、ぬいぐるみ」及び「輪投げ」、「いぬのキャラクター」及び「うさぎのキャラクター」、「ぬいぐるみ」であるものを示したが、フロントシート６に施される各知育模様１０，１１はこれらに限定されるものではなく、例えば、図５乃至図８に示すような模様であってもよい。
【００５２】
また、前記実施形態においては、各係止目印模様９、第１知育模様１０及び第２知育模様１１をフロントシート６に施したものを示したが、例えば、図９に示すように、おむつ本体側に施したものであってもよい。この場合、係止部材としてのフロントシートは、半透明または透明材料で構成されるとともに、各模様９，１０，１１を被覆するよう設けられている。この場合においても、前記実施形態と同様の作用効果を得ることができる。
【００５３】
また、前記実施形態においては、幼児向けの使い捨ておむつ１を示したが、例えば老人向けであってもよく、その他、人体に使用されるものであれば、幼児以外に用いられるものであってもよいことは勿論である。
【００５４】
また、前記実施形態においては、左右で対応する第２知育模様１１同士が、「どうぶつ」、「おもちゃ」等の同一カテゴリーに属する情報を有するものを示したが、同一カテゴリーに属する情報に限られるものでなく、例えば、「牛」と「バター」、「牛乳」等のように関連する情報であればよい。また、外側の第２知育模様１１が内側の第２知育模様１１に比して高度な情報を有するようにし、幼児等の成長とともに、外側の第２知育模様１１が各フックシート８の係止時に露出するようにすれば、幼児等の成長に応じた的確な知育を行うことができる。
【００５５】
また、前記実施形態においては、一の包装袋に収容される全ての使い捨ておむつ１が互いに異なるものを示したが、少なくとも１つの使い捨ておむつが他の使い捨ておむつと異なるものであればよいことは勿論である。
【００５６】
また、前記実施形態における各係止目印模様９の構成等も任意であり、その他、具体的な細部構造等についても適宜に変更可能であることは勿論である。
【００５７】
図５乃至図８は、使い捨ておむつのフロントシートを製造する際に用いられる裁断シートを示すものである。
【００５８】
図５及び図６に示すように、裁断シート１００，１０１は、裁断した状態でフロントシート２０，３０，４０，５０，６０，７０，８０をなす模様群が、上下に７つ並んで施されている。ここで、各模様群は、互いに上下に離隔して施されている。即ち、裁断シート１００を裁断して上下に分割することにより、フロントシート２０，３０，４０，５０，６０，７０，８０が製造される。
【００５９】
裁断シート１００のフロントシート２０は、各係止目印模様２１と、第１知育模様２２と、各第２知育模様２３とを有し、各係止目印模様２１は数字部２１ａ、上下に延びる棒線部２１ｂ等から成っている。
【００６０】
各数字部２１ａは、フロントシート２０の中央側から順に付与された数が模様として施されている。各数字部２１ａは、「１」，「２」，「３」のアラビア数字の模様部２１ａ１と、アラビア数字を囲み上側が矩形状、下側が半円状の外縁部２１ａ２とを有している。また、各数字部２１ａは、フロントシート２０の上側に配置されている。また、棒線部２１ｂは各数字部２１ａの下端から下方へ延びて形成されている。
【００６１】
また、第１知育模様２２は「うさぎのキャラクター」であり、第１知育情報は「どうぶつ」である。また、「１」と「２」の間に位置する左右一対の各第２知育模様２３は、それぞれ第２知育情報として「どうぶつ」の情報を有しており、両方とも第２知育模様２３は「うさぎのキャラクター」である。また、「２」と「３」の間に位置する左右一対の各第２知育模様２３は、それぞれ第２知育情報として「どうぶつ」の情報を有しており、両方とも第２知育模様２３は「いぬのキャラクター」である。
【００６２】
このフロントシート２０を備えた使い捨ておむつによっても、前記実施形態と同様の作用効果を得ることができる。尚、このフロントシート２０は、例えば、図６に示すように、各数字部２１ａを上下に互い違いに配置し、第１知育模様２２を「カンガルーのキャラクター」としたものであってもよい。
【００６３】
裁断シート１００のフロントシート３０は、各係止目印模様３１と、第１知育模様３２と、各第２知育模様３３とを有し、各係止目印模様３１は数字部３１ａ等から成っている。
【００６４】
各数字部３１ａは、フロントシート３０の中央側から順に付与された数が模様として施されている。各数字部３１ａは、「１」，「２」，「３」のアラビア数字の模様部３１ａ１を有している。ここで、各数字部３１ａは、隣接する各数字部３１ａ同士で上下位置が異なるよう施されており、この場合、「１」，「２」，「３」の順に上側となるよう配置されている。
【００６５】
また、第１知育模様３２は「ひつじのキャラクター」であり、第１知育情報は「どうぶつ」である。また、「１」と「２」の間に位置する左右一対の各第２知育模様３３は、それぞれ第２知育情報として「どうぶつ」の情報を有しており、一方の第２知育模様３３は「いぬのキャラクター」、他方の第２知育模様３３は「ねこのキャラクター」である。また、「２」と「３」の間に位置する左右一対の各第２知育模様３３も同様に、「いぬのキャラクター」、「ねこのキャラクター」である。
【００６６】
このフロントシート３０を備えた使い捨ておむつによっても、前記実施形態と同様の作用効果を得ることができる。この場合、隣接する各数字部３１ａ同士で上下位置が異なるようにしたので、幼児等の知育に関してさらに有利である。尚、このフロントシート３０は、例えば、図６に示すように、各数字部３１ａをそれぞれ上下略中央に配置し、第１知育模様３２を「ぞうのキャラクター」とするとともに、各係止目印部３１を数字部３１ａと一体的に数字を上下に並べて形成したものであってもよい。
【００６７】
裁断シート１００のフロントシート４０は、各係止目印模様４１と、第１知育模様４２と、各第２知育模様４３とを有し、各係止目印模様４１は数字部４１ａ等から成っている。
【００６８】
各数字部４１ａは、フロントシート４０の中央側から順に付与された数が模様として施されている。各数字部４１ａは、「１」，「２」，「３」のアラビア数字の模様部４１ａ１と、アラビア数字を囲む星状の外縁部４１ａ２とを有している。ここで、各数字部４１ａは、隣接する各数字部４１ａ同士で上下位置が異なるよう施されており、この場合、「１」，「２」，「３」の順に上側となるよう配置されている。
【００６９】
また、第１知育模様４２は「とらのキャラクター」であり、第１知育情報は「どうぶつ」である。「２」と「３」の間に位置する左右一対の各第２知育模様４３は、それぞれ第２知育情報として「どうぶつ」の情報を有しており、一方の第２知育模様４３は「いぬのキャラクター」、他方の第２知育模様４３は「ねこのキャラクター」である。また、各模様４１，４２，４３の周囲には、複数の「動物の足跡」の背景模様４４が施されている。即ち、この背景模様４４は、第３知育情報として第１知育情報と関連する「どうぶつ」の情報を有している。
【００７０】
このフロントシート４０を備えた使い捨ておむつによっても、前記実施形態と同様の作用効果を得ることができるし、さらに、第１知育情報と第３知育情報とが関連する情報であるので、幼児等の思考力を刺激することができる。尚、このフロントシート４０は、例えば、図６に示すように、第１知育模様４２を「パンダのキャラクター」とし、背景模様４４として複数の「星」が施されたものであってもよい。
【００７１】
裁断シート１００のフロントシート５０は、各係止目印模様５１と、第１知育模様５２と、各第２知育模様５３とを有し、各係止目印模様５１は数字部５１ａ等から成っている。
【００７２】
各数字部５１ａは、フロントシート５０の中央側から順に付与された数が模様として施されている。各数字部５１ａは、「１」，「２」，「３」のアラビア数字の模様部５１ａ１と、アラビア数字を囲む円状の外縁部５１ａ２とを有している。ここで、各数字部５１ａは、隣接する各数字部５１ａ同士で上下方向に互い違いとなるよう施されている。
【００７３】
また、第１知育模様５２は「りすのキャラクター」であり、第１知育情報は「どうぶつ」である。「１」と「２」の間に位置する左右一対の各第２知育模様５３は、それぞれ第２知育情報として「楽器」の情報を有しており、一方の第２知育模様５３は「トランペット」、他方の第２知育模様５３は「ピアノ」である。また、「２」と「３」の間に位置する左右一対の各第２知育模様５３は、それぞれ第２知育情報として「どうぶつ」及び「楽器」の情報を有しており、一方の第２知育模様５３は「ラッパを吹くいぬのキャラクター」、他方の第２知育模様５３は「太鼓を叩くねこのキャラクター」である。また、各模様５１，５２，５３の周囲には、複数の「音符」の背景模様５４が施されている。即ち、この背景模様５４は、第３知育情報として第１知育情報と関連する「音楽」の情報を有している。
【００７４】
このフロントシート５０を備えた使い捨ておむつによっても、前記実施形態と同様の作用効果を得ることができる。尚、このフロントシート５０は、例えば、図６に示すように、各数字部５１ａをフロントシート５０の下側に配置し、第１知育模様５２を「うまのキャラクター」とするとともに、破線部５２ｂを施したものであってもよい。
【００７５】
裁断シート１００のフロントシート６０は、各係止目印模様６１と、第１知育模様６２と、各第２知育模様６３とを有し、各係止目印模様６１は数字部６１ａと、破線部６１ｂ等から成っている。
【００７６】
各数字部６１ａは、フロントシート６０の中央側から順に付与された数が模様として施されている。各数字部６１ａは、「１」，「２」，「３」等のアラビア数字の模様部６１ａ１を有している。ここで、各数字部６１ａは、隣接する各数字部６１ａ同士で上下位置が異なるよう施されており、この場合、「１」，「２」，「３」の順に上側となるよう配置されている。また、破線部６１ｂは各数字部６１ａを跨いで上下に延びて形成され、「１」の破線部６１ｂ及び「２」の破線部６１ｂの間隔と、「２」の破線部６１ｂ及び「３」の破線部６１ｂの間隔とは、略同一となっている。
【００７７】
また、第１知育模様６２は「しまうまのキャラクター」であり、第１知育情報は「どうぶつ」である。また、「１」と「２」の間に位置する左右一対の各第２知育模様６３は、それぞれ第２知育情報として「どうぶつ」の情報を有しており、両方とも第２知育模様６３は「うさぎのキャラクター」である。また、「２」と「３」の間に位置する左右一対の各第２知育模様６３は、それぞれ第２知育情報として「どうぶつ」の情報を有しており、両方とも第２知育模様６３は「いぬのキャラクター」である。
【００７８】
このフロントシート６０を備えた使い捨ておむつによっても、前記実施形態と同様の作用効果を得ることができる。尚、このフロントシート６０は、例えば、図６に示すように、第１知育模様６２を「きりんのキャラクター」としたものであってもよい。
【００７９】
裁断シート１００のフロントシート７０は、各係止目印模様７１と、第１知育模様７２と、各第２知育模様７３とを有し、各係止目印模様７１は数字部７１ａと、棒線部７１ｂ等から成っている。
【００８０】
各数字部７１ａは、フロントシート７０の中央側から順に付与された数が模様として施されている。各数字部７１ａは、「１」，「２」，「３」のアラビア数字の模様部７１ａ１と、アラビア数字を囲むいがぐり状の外縁部７１ａ２とを有している。また、各数字部７１ａは、フロントシート７０の上下略中央に配置されている。また、破線部７１ｂは各数字部７１ａを跨いで上下に延びて形成されている。
【００８１】
また、第１知育模様７２は「ぺんぎんのキャラクター」であり、第１知育情報は「どうぶつ」である。また、「１」と「２」の間に位置する左右一対の各第２知育模様７３は、それぞれ第２知育情報として「どうぶつ」の情報を有しており、両方とも第２知育模様７３は「いぬのキャラクター」である。また、「２」と「３」の間に位置する左右一対の各第２知育模様７３は、それぞれ第２知育情報として「どうぶつ」の情報を有しており、両方とも第２知育模様７３は「うさぎのキャラクター」である。
【００８２】
このフロントシート７０を備えた使い捨ておむつによっても、前記実施形態と同様の作用効果を得ることができる。尚、このフロントシート７０は、例えば、図６に示すように、第１知育模様７２を「ライオンのキャラクター」とし、外縁部７１ａ２を略円形の花びら状としたものであってもよい。
【００８３】
裁断シート１００のフロントシート８０は、各係止目印模様８１と、第１知育模様８２と、各第２知育模様８３とを有し、各係止目印模様８１は数字部８１ａと、破線部８１ｂ等から成っている。
【００８４】
各数字部８１ａは、フロントシート８０の中央側から順に付与された数が模様として施されている。各数字部８１ａは、「１」，「２」，「３」のアラビア数字の模様部８１ａ１を有している。ここで、一方側の各数字部８１ａはフロントシート８０の上側に配置され、他方側の各数字部８１ａはフロントシート８０の下側に配置されている。また、破線部９ｂは泡状の模様を上下に並設することにより形成され、隣接する泡状の模様は左右に互い違いとなっている。
【００８５】
また、第１知育模様８２は「イルカのキャラクター」であり、第１知育情報は「どうぶつ」である。また、「１」と「２」の間に位置する左右一対の各第２知育模様８３は、それぞれ第２知育情報として「どうぶつ」の情報を有しており、一方の第２知育模様８３は「うさぎのキャラクター」であり、他方の第２知育模様８３は「いぬのキャラクター」である。また、「２」と「３」の間に位置する左右一対の各第２知育模様８３は、それぞれ第２知育情報として「どうぶつ」の情報を有しており、一方の第２知育模様８３は「いぬのキャラクター」であり、他方の第２知育模様８３は「うさぎのキャラクター」である。
【００８６】
このフロントシート８０を備えた使い捨ておむつによっても、前記実施形態と同様の作用効果を得ることができる。尚、このフロントシート８０は、例えば、図６に示すように、第１知育模様８２を第１知育情報として「海」の情報を有する「くじらのキャラクター」とし、各第２知育模様８３を第２知育情報として「人体の洗浄」を有する「歯ブラシ」、「石鹸」等とするとともに、背景模様８４を第３知育情報として「海」の情報を有する「泡」としたものであってもよい。また、この背景模様は、例えば「魚」であってもよく、第１知育情報と関連する「海」の情報を有するものであれば、幼児等の思考力を刺激することができることは勿論である。
【００８７】
尚、裁断シートは、例えば、図７及び図８に示すように、第１知育模様３２のみが異なるフロントシート３０をなす模様群を上下に並んで施したものであってもよい。
【００８８】
【発明の効果】
以上詳述したように、本発明の使い捨ておむつによれば、幼児等に第２知育模様を確実に認識させるとともに、複数種の模様を認識させることができるので、使い捨ておむつを付加価値の高いものとすることができる。また、幼児等の知育に関して極めて有利であるし、母親等は幼児等とコミュニケーションをとることもできる。
また、本発明のおむつ包装品によれば、幼児等により多くの知育模様を認識させることができ、知育において極めて有利であるとともに、母親、幼児等は、おむつの交換を楽しく行うことができる。
【図面の簡単な説明】
【図１】本発明の一実施形態を示すもので、使い捨ておむつの概略斜視図である。
【図２】使い捨ておむつの一部分解斜視図である。
【図３】使い捨ておむつの展開した状態を示す平面図である。
【図４】使い捨ておむつのフロントシートの平面図である。
【図５】フロントシートをなす模様群が上下に並設された裁断シートである。
【図６】フロントシートをなす模様群が上下に並設された裁断シートである。
【図７】フロントシートをなす模様群が上下に並設された裁断シートである。
【図８】フロントシートをなす模様群が上下に並設された裁断シートである。
【図９】本発明の他の実施形態を示すもので、使い捨ておむつの概略斜視図である。
【符号の説明】
１        使い捨ておむつ
６        フロントシート
８        フックシート
９        係止目印模様
９ａ      数字部
１０      第１知育模様
１１      第２知育模様
２０      フロントシート
２１      係止目印模様
２１ａ    数字部
２２      第１知育模様
２３      第２知育模様
３０      フロントシート
３１      係止目印模様
３１ａ    数字部
３２      第１知育模様
３３      第２知育模様
４０      フロントシート
４１      係止目印模様
４１ａ    数字部
４２      第１知育模様
４３      第２知育模様
４４      背景模様
５０      フロントシート
５１      係止目印模様
５１ａ    数字部
５２      第１知育模様
５３      第２知育模様
５４      背景模様
６０      フロントシート
６１      係止目印模様
６１ａ    数字部
６２      第１知育模様
６３      第２知育模様
７０      フロントシート
７１      係止目印模様
７１ａ    数字部
７２      第１知育模様
７３      第２知育模様
８０      フロントシート
８１      係止目印模様
８１ａ    数字部
８２      第１知育模様
８３      第２知育模様
８４      背景模様
【図１】
0003848550.tif 000002
【図２】
0003848550.tif 000003
【図３】
0003848550.tif 000004
【図４】
0003848550.tif 000005
【図５】
0003848550.tif 000006
【図６】
0003848550.tif 000007
【図７】
0003848550.tif 000008
【図８】
0003848550.tif 000009
【図９】
0003848550.tif 000010